【手続補正書】
【提出日】平成21年9月29日(2009.9.29)
【手続補正１】
【補正対象書類名】特許請求の範囲
【補正対象項目名】全文
【補正方法】変更
【補正の内容】
【特許請求の範囲】
【請求項１】
チップ(10)のキャピラリー(12)のアレイを製造する方法であって、前記方法は、
a) キャピラリー(12)の底を形成するためのサポートプレート(14)上に、溶融または重合可能な構成材料の少なくとも1つの層を堆積させることからなる工程と、
b) 構成材料の1つまたは各々の層の予め決められた領域上にレーザービームを収束させ、かつその上を移動させ、前記領域中で前記材料それぞれの溶融または重合を生じさせ、キャピラリー(12)の側壁(18)を形成することからなる工程と、
c)前記キャピラリー(12)の前記側壁(18)上に、一旦それらがするとカバープレート(16)を固着させ、前記カバープレートは前記キャピラリー(12)の天井を形成することからなる工程と
を含み、前記方法は、工程a)および/またはc)に先立って、前記キャピラリーの少なくとも1つに位置合わせして前記サポートプレート(14)および/または前記カバープレート(16)上に化学または生体分子(34,58)を固定することと、可溶性保護材料の層(60)によって前記分子をカバーすることをさらに含むことを特徴とする方法。
【請求項２】
チップ(10)のキャピラリー(12)のアレイを製造する方法であって、前記方法は、
a） 前記キャピラリー(12)の底を形成するためのサポートプレート(14)上に、溶融可能な構成材料の少なくとも1つの層を堆積させることからなる工程と、
b) 構成材料の1つまたは各々の層の、予め決められた領域上にレーザービームを収束させ、かつその上を移動させ、前記領域中で前記材料の溶融を生じさせ、前記キャピラリー(12)の側壁(18)を形成することからなる工程と、
c)前記キャピラリー(12)の前記側壁(18)上に、前記側壁(18)が硬化した後にカバープレート(16)を固着させ、前記カバープレートがキャピラリー(12)の天井を形成することからなる工程と
を含むことを特徴とする方法。
【請求項３】
請求項１または請求項２による方法であって、工程c)に先立って、前記キャピラリー(12)の前記側壁(18)が予め決められた高さに到達するまで、工程a)およびb)を１回以上繰り返すことからなる工程をさらに含むことを特徴とする方法。
【請求項４】
先行する請求項のいずれかによる方法であって、工程c)に先立って、または工程b)各々の後に、溶融または重合されていない構成材料を除去することからなる工程をさらに含むことを特徴とする方法。
【請求項５】
請求項１ないし４のいずれか１項による方法であって、工程c)に先立って、固定相を形成する多孔質のモノリシック材料によってキャピラリーの少なくとも1つを充填して、クロマトグラフィーキャピラリー(90)を構成することからなる工程をさらに含むことを特徴とする方法。
【請求項６】
請求項１および請求項３ないし５のいずれか1項による方法であって、工程a)においてサポートプレート(4)上にゲルまたはフィルム形態の重合可能な構成材料の少なくとも1つの層(50)を堆積させること、および工程b)において構成材料の層の1つまたは各々の、予め決められた領域(54)の上にレーザービームを収束させ、かつその上を移動させ、前記領域中で前記構成材料の重合を生じさせ、前記キャピラリー(12)の前記側壁(18)を形成することを含むことを特徴とする方法。
【請求項７】
請求項６による方法であって、工程c)において、
c1) 前記壁が硬化した後に、低い融点を持つ材料(55)のフィルムによって前記キャピラリー(12)の前記側壁(18)をカバーすること、
c5) 前記材料のフィルム上に前記カバープレート(16)を配置すること、
c6) 前記側壁上で前記フィルムを溶融するために前記キャピラリーの側壁に位置合わせしてレーザービーム(62)を収束させ、かつ移動させ、前記キャピラリー(12)の前記側壁(18)上に前記カバープレート(16)を粘着的に固着させること
からなることを特徴とする方法。
【請求項８】
請求項７による方法であって、工程c1)の後に、
c2) 前記キャピラリー(12)に沿ってレーザービーム(56)を収束させ、かつ移動させ、前記キャピラリーの天井から前記フィルムの材料(55)を除去することによって前記キャピラリーを開口させる
ことからなる工程をさらに含むことを特徴とする方法。
【請求項９】
請求項７または請求項８による方法であって、工程c1)または工程c2)の後かつ工程c)の前に、
c3) 前記キャピラリー(12)中で前記サポートプレート(14)上に化学または生体分子(58)を固定することからなる工程と、
c4) これらの分子を適切な保護材料の層(60)によってカバーすることからなる工程と
をさらに含むことを特徴とする方法。
【請求項１０】
請求項９による方法であって、工程c6)の後に、
c7) 前記保護材料の層(60)を、前記サポートプレート(14)および/または前記カバープレート(16)中に形成されたチャネルを介してキャピラリーの中に注入される適切な溶媒に前記材料を溶解することによって、および前記チャネルを介して前記溶媒を排除することによって除去することからなる工程
をさらに含むことを特徴とする方法。
【請求項１１】
請求項１ないし５のいずれか1項による方法であって、工程a)において前記サポートプレート(14)上に粉末形態の溶融可能な構成材料の少なくとも1つの層(78)を堆積させること、および工程c)において構成材料の1つまたは各々の層(78)の、予め決められた領域上にレーザービーム(80)を収束させ、かつその上を移動させ、前記領域中で前記材料の溶融を生じさせ、前記キャピラリー(12)の前記側壁(18)を形成することからなることを特徴とする方法。
【請求項１２】
請求項１１による方法であって、工程c)に先立って前記キャピラリー(12)中の前記サポートプレート(14)および/または前記カバープレート(16)上に化学または生体分子を固定すること、およびその後前記分子を可溶性保護材料の層によってカバーすることからなる工程をさらに含むことを特徴とする方法。
【請求項１３】
請求項１１または１２による方法であって、工程a)に先立って将来のキャピラリー(12)の底に位置合わせして前記サポートプレート(14)上に化学または生体分子(70)を固定すること、およびその後に前記分子を可溶性保護材料の層(72)によってカバーすることからなる工程をさらに含むことを特徴とする方法。
【請求項１４】
請求項１３による方法であって、前記分子が、前記サポートプレート(14)上に予め配置されて予め決められた形状のモールドまたはマスク(74)により、前記可溶性保護材料の層(72)によってカバーされることを特徴とする方法。
【請求項１５】
請求項１１ないし１４のいずれか1項による方法であって、工程c)において、
c1) 他の溶融可能な構成材料の層(24)を、それらが硬化した後に前記キャピラリー(12)の前記壁(18)上に堆積すること、
c2) 前記層上に前記カバープレート(16)を配置すること、
c3) 前記キャピラリーの側壁に位置合わせしてレーザービーム(86)を収束させ、かつ移動させ、前記壁上で層(84)を溶融し、前記キャピラリーの前記側壁上に前記カバープレートを粘着的に固着させること
を含むことを特徴とする方法。
【請求項１６】
請求項１５による方法であって、工程c3)の後に、
c4) 前記保護材料の層を、前記サポートプレート(14)および/または前記カバープレート(16)中に形成されたチャネルを介して前記キャピラリー(12)の中に注入される溶媒を使用して前記材料を溶解することにより、および前記チャネルを介して前記溶媒を排除することによって除去することからなる工程
をさらに含むことを特徴とする方法。
【請求項１７】
請求項１、および請求項３ないし１６のいずれか1項による方法であって、前記化学または生体分子が、任意でマークされた核酸、ポリペプチド化合物、化学または生体リガンド、および単数または複数の抗体フラグメントから選択されることを特徴とする方法。
【請求項１８】
キャピラリー(12)のアレイを含むチップであって、前記チップは、側壁の間に延びる前記キャピラリー(12)の側壁(18)と互いに実質的に平行なサポートプレート(14)およびカバープレート(16)を含み、前記側壁は構成材料を溶融または重合するためにレーザーを使用することによって形成され、前記カバープレート(16)は粘着層(20)を介して前記キャピラリーの前記側壁上に固着され、化学または生体分子(34,58)がサポートプレート上および/またはカバープレート上のキャピラリーの少なくとも1つの中に固定されることを特徴とするチップ。
【請求項１９】
キャピラリー(12)のアレイを含むチップであって、前記チップは、間に延びる前記キャピラリー(12)の側壁(18)を持った実質的に互いに平行なサポートプレート(14)およびカバープレート(16)を含み、前記側壁は構成材料を溶融するためにレーザーを使用することによって形成され、前記カバープレート(16)は粘着層(20)を介してこれらのキャピラリーの側壁上に固着されることを特徴とするチップ。
【請求項２０】
請求項１８または請求項１９によるチップであって、前記カバープレート(14)および前記サポートプレート(16)のうちの少なくとも1つのプレートが、ガラス、石英、またはプラスチック材料から作られたスライド(24)を含み、前記プレートは前記スライド(24)上に薄膜としてエッチングまたは堆積される電極(26,28,30)を含み、かつ誘電体によって互いに分離され、さらに前記プレートは前記キャピラリー(12)の前記側壁(18)からスライド(24)の電極を電気的に絶縁するための電気的な絶縁材料のフィルムによってカバーされることを特徴とするチップ。
【請求項２１】
請求項１８ないし２０のいずれか1項によるチップであって、前記サポートプレートおよび/または前記カバープレート上に固定された複数の化学または生体分子を含み、前記分子はスポットとして組織され、かつマトリクスを形成するように互いに比較的規則正しく分布することを特徴とするチップ。
【請求項２２】
請求項１８ないし２１のいずれか1項によるチップであって、前記キャピラリーのアレイは固定相を形成する多孔質のモノリシック物質によって充填された少なくとも1つのクロマトグラフィーキャピラリー(90)と、前記クロマトグラフィーキャピラリー(90)と実質的に垂直に接続された少なくとも1つの電気泳動キャピラリー(94)とを含み、前記キャピラリーのアレイはLIBS効果による分析のための少なくとも1つのチャンバー(94)に接続され、1つまたは各々のチャンバーの側壁は前記サポートプレート(14)と前記カバープレート(16)との間に延びることを特徴とするチップ。
【請求項２３】
LIBS効果による分析のためのデバイスであって、前記デバイスは、請求項２２によるチップの少なくとも1つと、透光性の壁を通して前記チップの分析チャンバー(94)の中に含まれる試料の表面上にレーザービーム(98)を放出し、前記チャンバー中でプラズマ(100)の生成および拡散を生じさせるための手段と、前記チャンバーの透光性の壁を通して、プラズマ(100)によって放出された光の分光測定的検出および分析のための手段(104)とを含むことを特徴とするデバイス。
【請求項２４】
請求項２３によるデバイスであって、前記チップの分析チャンバー(94)の中にアルゴンのようなガスを注入するための手段(102)を含むことを特徴とするデバイス。
【請求項２５】
請求項２３または２４によるデバイスであって、前記分析チャンバー(94)が、前記チャンバー中に電場を印加するための一対の電極を含むことを特徴とするデバイス。